(57)【要約】【課題】この発明は、収納部に収納して車両に取り付けた携帯端末の収納部内でのがたつきを防止することができる車両用端末取付装置を提供すること。【解決手段】このように構成された車両用端末取付装置１１は、車載スピーカー、車載バッテリー、ステアリングスイッチ等の車載された電気機器類と電気的に接続可能に携帯端末Ｍを車両に対して取り付けることができるように構成され、携帯端末Ｍを収納する収納空間２９を有する収納部２３が備えられるとともに、収納された携帯端末Ｍを保持する保持シート３７が収納部２３に設けられている。【選択図】図１
2019214279.tif 000002
【特許請求の範囲】
【請求項１】
車載された電気機器類と電気的に接続可能に携帯端末を車両に対して取り付ける車両用端末取付装置であって、
前記携帯端末を収納する収納空間を有する収納部が備えられるとともに、
収納される前記携帯端末を保持する保持部が前記収納部に設けられた
車両用端末取付装置。
【請求項２】
前記収納部は、
収納する前記携帯端末の両側に配置された少なくとも一対の対向する対向部が備えられ、
前記保持部が、前記対向部の少なくとも一部に設けられた
請求項１に記載の車両用端末取付装置。
【請求項３】
前記保持部は、
前記対向部が対向する方向である対向方向に前記携帯端末を付勢して保持する付勢体で構成された
請求項２に記載の車両用端末取付装置。
【請求項４】
前記携帯端末を前記収納空間に対して着脱自在に出し入れ可能な出入部が設けられ、
前記対向方向が、前記出入部を介して前記携帯端末を前記収納部から出し入れする出入方向と交差するように構成された
請求項３に記載の車両用端末取付装置。
【請求項５】
前記対向部のうち前記付勢体に付勢される側に、前記収納部に収納する前記携帯端末を外部より視認する視認部が備えられた
請求項３または請求項４に記載の車両用端末取付装置。
【請求項６】
前記収納部における前記携帯端末の装着方向に、前記携帯端末を電気的に接続する電気接続部が備えられた
請求項３乃至請求項５のうちのいずれかに記載の車両用端末取付装置。
【請求項７】
前記収納部に収納された前記携帯端末を取り外す取外手段が設けられた
請求項１乃至請求項６のうちのいずれかに記載の車両用端末取付装置。
【請求項８】
前記収納部に収納した前記携帯端末及び前記車載された電気機器類のうち少なくとも一方を操作する操作手段が設けられた
請求項１乃至請求項７のうちのいずれかに記載の車両用端末取付装置。
【発明の詳細な説明】
【技術分野】
【０００１】
この発明は、タブレットコンピュータやスマートフォンなどの携帯端末を車両に取り付ける車両用端末取付装置に関する。
【背景技術】
【０００２】
近年、タブレットコンピュータやスマートフォンなどの携帯端末の発展に伴って、車載スピーカーに音楽信号を送り音楽を再生する音楽プレーヤや、カーナビゲーション、ドライブレコーダなどとして利用するため、携帯端末を車内に取り付ける様々な車両用端末取付装置が提案されている。
【０００３】
例えば、特許文献１には、裏面に録画用カメラが備えられた携帯端末を収納して携帯端末を車載のドライブレコーダとして利用することができる車両用端末取付装置が開示されている。  
【０００４】
詳述すると、特許文献１に記載の車両用端末取付装置は、車両への取付状態において、携帯端末の裏面を車両前方に向けたまま、車両用端末取付装置本体の内部に設けられた収納部に、装置本体の上方に備えられた開口からスライド挿入して収納することで、携帯端末を車両に取り付けることができる。
【０００５】
このように携帯端末を車両に取り付けることで、携帯端末の録画用カメラを用いて車両前方の風景を録画するドライブレコーダとして利用できるとされている。
【０００６】
しかしながら、特許文献１に開示される車両用端末取付装置は、車両用端末取付装置本体の上方から携帯端末をスライドさせて本体内部に設けられた収納部に収納しているにしか過ぎず、車両の振動によって収納部内において携帯端末ががたつき、異音が発生したり、録画画像がぶれたり、画面がぶれて見にくいなど満足できるものではなかった。
【先行技術文献】
【特許文献】
【０００７】
【特許文献１】特開２０１４−２１６８８５号公報
【発明の概要】
【発明が解決しようとする課題】
【０００８】
この発明は、上述した問題を鑑み、収納部に収納して車両に取り付けた携帯端末の収納部内でのがたつきを防止することができる車両用端末取付装置を提供することを目的とする。
【課題を解決するための手段】
【０００９】
この発明は、車載された電気機器類と電気的に接続可能に携帯端末を車両に対して取り付ける車両用端末取付装置であって、前記携帯端末を収納する収納空間を有する収納部が備えられるとともに、収納される前記携帯端末を保持する保持部が前記収納部に設けられたことを特徴とする。
【００１０】
上述の車載された前記電気機器類とは、例えば、車載スピーカー、車載バッテリー、ステアリングスイッチなどの車載されている電気機器や、カーナビゲーションやドライブレコーダなどのオプションとして後付可能な電気機器など、前記携帯端末と電気的に接続可能で車載可能な電気機器を含む。
【００１１】
前記収納空間は、前記携帯端末を着脱自在に収納可能に前記携帯端末と相似形状または非相似形状など適宜の形状に形成された空間である。なお、前記収納部は、前記携帯端末の一部または全部を収納可能に形成されていてもよい。
【００１２】
前記保持部は、前記収納部における所定の位置に前記携帯端末を規制して保持するように構成され、例えば、前記収納部の外側に向けて前記携帯端末を押し付けたり、前記携帯端末を挟んだり、または前記携帯端末を吸着したりすることにより前記携帯端末を所定の位置に規制して保持することを含む。
【００１３】
この発明により、前記収納部に収納して車両に取り付けた前記携帯端末の前記収納部内でのがたつきを防止することができる。  
詳述すると、車載された電気機器類と電気的に接続可能に携帯端末を車両に対して取り付ける車両用端末取付装置が、前記携帯端末を収納する前記収納空間を有する収納部を備えるため、前記携帯端末を前記収納部に収納することで車両に取り付ける事ができる。
【００１４】
また、前記保持部が前記収納部に設けられていることで、前記収納部内における前記携帯端末が前記保持部によって所定の位置に規制するように保持され、前記収納部内における前記携帯端末のがたつきを防止することができる。
【００１５】
これにより、車両が振動した場合であっても、前記収納部に前記携帯端末が収納された収納状態において、前記携帯端末ががたつくことによって生じる異音の発生や前記携帯端末に映し出された画像がぶれ、画面が見にくくなることを防止でき、快適な車内環境を構築することができる。
【００１６】
この発明の態様として、前記収納部は、収納する前記携帯端末の両側に配置された少なくとも一対の対向する対向部が備えられ、前記保持部が、前記対向部の少なくとも一部に設けられてもよい。  
上述の前記携帯端末の両側とは、前記収納状態における前記携帯端末の主面の表側を正面としたとき、正面側と背面側、底面側と平面側及び、両側面側のうち少なくともいずれか一つを指す。
【００１７】
前記対向部は、前記対向部のそれぞれを単一または複数で構成してもよく、単一または複数で構成された前記対向部のうち少なくとも一部分が対向していてもよい。  
また、前記対向部の少なくとも一方が複数で構成される場合、前記対向部のそれぞれが直接対向していなくともよく、前記対向部のうち複数で構成された一方と前記対向部の他方とが、全体として対向していればよい。  
また、前記対向部に設けられた前記保持部が前記携帯端末の少なくとも一部分を保持していればよい。
【００１８】
この発明により、前記車両用端末取付装置の両側に配置された対向部の少なくとも一方に設けられた前記保持部によって前記携帯端末を保持できる。そのため、前記収納状態における前記携帯端末のがたつきをより確実に防止することができる。
【００１９】
またこの発明の態様として、前記保持部は、前記対向部が対向する方向である対向方向に前記携帯端末を付勢して保持する付勢体で構成されてもよい。  
前記付勢体は、例えば、変形に伴う復元力が付勢力として作用する可撓性部材や、ゴムやバネなどの弾性部材を含み、単一または複数の部材から構成されていてもよい。
【００２０】
この発明により、前記収納部に設けられた前記付勢体が、前記収納部に前記携帯端末を収納することで変形し、この変形にともなう復元力で前記携帯端末を付勢して保持するため、前記携帯端末の形状や大きさなどを問わずに保持できる。
【００２１】
また、前記対向部の一方に設けられた前記付勢体が、前記対向部の他方に向かって前記携帯端末を付勢して保持、もしくは、前記対向部に設けられた前記付勢体同士で前記携帯端末を挟みこんで保持することができる。これにより、前記収納部における所定の位置に保持された前記携帯端末のがたつきをより確実に防止することができる。
【００２２】
さらに、前記保持部を前記付勢体とすることにより、前記収納部に収納された前記携帯端末のがたつきを前記付勢体が吸収できるため、仮に強い振動があった場合であっても、前記収納部に収納された前記携帯端末のがたつきを防止できるとともに、前記携帯端末が前記車両用端末取付装置や前記保持部等と接触して損傷することを防止できる。
【００２３】
例えば、前記対向部が、前記収納状態における前記携帯端末の正面側と背面側とに配置された一対の面により構成され、前記対向部の背面側に前記付勢体が設けられてもよい。これにより、前記収納部に収納された前記携帯端末が、前記対向部の正面側に付勢されるため、前記対向部の正面側と前記付勢体とにより前記携帯端末が挟み込まれて保持される。
【００２４】
このように、前記携帯端末が前記収納部内で少なくとも、前記対向方向に向かって揺れ動くことを確実に規制することができるため、前記収納状態における前記携帯端末の前記対向方向へのがたつきをより確実に防止することができる。
【００２５】
またこの発明の態様として、前記携帯端末を前記収納空間に対して着脱自在に出し入れ可能な出入部が設けられ、前記対向方向が、前記出入部を介して前記携帯端末を前記収納部から出し入れする出入方向と交差するように構成されてもよい。
【００２６】
前記出入部は、例えば、前記収納空間と連通するとともに前記携帯端末を自在に挿通可能に設けられた開口のように、前記携帯端末が前記収納部に対して出入自在となるように構成されていればよく、さらには、前記出入部を構成する開口に対して枢動する蓋部を備えた出入部であってもよい。
【００２７】
この発明により、容易に前記携帯端末を前記出入部から挿通して前記収納部に収納することができるとともに、前記収納部に収納された前記携帯端末を前記収納部における所定の位置にがたつくことなく確実に保持できる。
【００２８】
詳述すると、前記携帯端末を前記出入部から挿入や脱出させる場合には、前記付勢体が前記携帯端末と当接することにより挿入方向（脱出方向）に弾性変形するため、前記携帯端末を容易に出し入れすることができる。
【００２９】
一方、前記収納状態では、前記挿入方向に弾性変形した前記付勢体の復元力により前記携帯端末が前記対向方向に付勢されることとなるため、前記収納部における所定の位置において、前記携帯端末のがたつきをより確実に規制しながら保持できる。
【００３０】
このように、前記携帯端末を前記収納空間に着脱自在に出し入れ可能な出入部が設けられるとともに、前記出入方向と前記対向方向とが交差するため、前記携帯端末を前記出入部から挿入するだけで、前記収納部内において前記携帯端末を対向方向に付勢して確実に保持することができる。
【００３１】
またこの発明の態様として、前記対向部のうち前記付勢体に付勢される側に、前記収納部に収納する前記携帯端末を外部より視認する視認部が備えられてもよい。  
この発明により、前記付勢体が前記収納部に収納された前記携帯端末を前記視認部側に付勢することができ、前記車両用端末取付装置の外部からの前記携帯端末の視認性を向上することができる。なお、前記視認部は、前記車両用端末取付装置の外部と前記収納空間とを連通する開口や、可視光線を透過する透過部材などを含む。
【００３２】
またこの発明の態様として、前記収納部における前記携帯端末の装着方向に、前記携帯端末を前記電気機器類と電気的に接続する電気接続部が備えられてもよい。
【００３３】
上述の前記携帯端末の装着方向とは、前記携帯端末を前記収納部に収納する方向をいい、前記出入方向においては、前記携帯端末を前記収納部に挿入する方向に当たる。
【００３４】
この発明により、前記携帯端末を装着方向へ移動させて前記収納部に収納するだけで、前記携帯端末を電気接続部と電気的に接続できる。  
これにより、利用者が前記携帯端末を前記収納部に収納した後に前記電気機器類と電気的に接続させる手間が省略でき、利便性を向上させることができる。  
さらに、単に前記収納部に前記携帯端末を収納することで、前記保持手段で保持された状態の前記携帯端末と前記電気接続部とを電気的に接続することができる。そのため、前記携帯端末がたつくことによる前記電気接続部の損傷を防ぐことができる。
【００３５】
またこの発明の態様として、前記収納部に収納された前記携帯端末を取り外す取外手段が設けられてもよい。  
この発明により、単に前記取外手段を操作することによって前記収納状態における前記携帯端末を前記収納部から取り外すことができるため、利用者の利便性を向上させることができる。
【００３６】
仮に、前記電気接続部への接続方向に対して逆向き方向に、前記収納部に収納された前記携帯端末を取り外す場合、前記取外手段で前記携帯端末を取り外すことで、前記携帯端末と前記電気接続部の電気接続を解消することができる。
【００３７】
またこの発明の態様として、前記収納部に収納した前記携帯端末及び前記車載された電気機器類のうち少なくとも一方を操作する操作手段が設けられてもよい。  
この発明により、単に前記操作手段を操作するだけで、前記電気機器類と前記携帯端末のうち少なくとも一方を操作することができ、利用者の利便性を向上させることができる。
【００３８】
なお、前記操作手段とは、車載された前記電気機器類及び前記携帯端末の一方または双方のうち少なくとも一部を操作できる手段や、車載された前記電気機器類と前記携帯端末とを連動させて操作できる手段などを含む。
【発明の効果】
【００３９】
この発明により、収納部に収納して車両に取り付けた携帯端末の収納部内でのがたつきを防止することができる車両用端末取付装置を提供することができる。
【図面の簡単な説明】
【００４０】
【図１】車両用端末取付構造の斜視図。
【図２】オーディオパネルに固定された車両用端末取付装置の斜視図。
【図３】トップパネルの斜視図。
【図４】図３のＡ−Ａ矢視断面図。
【図５】トップパネルの内部の一部拡大断面図。
【図６】携帯端末を収納した図３のＡ−Ａ矢視断面図。
【図７】バックパネルの斜視図。
【図８】図２のＢ−Ｂ矢視断面図。
【図９】固定作業を説明する斜視図。
【発明を実施するための形態】
【００４１】
この発明の一実施形態を以下図面とともに説明する。  
図１に、携帯端末Ｍを収納した状態の車両用端末取付装置１１と、車両用端末取付装置１１を備えた車両用端末取付構造を示す。車両用端末取付装置１１は、車載される音楽プレーヤや、カーナビゲーション、ドライブレコーダ等の電子機器として利用するために携帯端末Ｍを車内に取り付ける取付装置であり、車両のインストルメントパネル１２におけるオーディオパネル１３に取り付けられている。なお携帯端末Ｍは、タブレットコンピュータやスマートフォンなど適宜の端末で構成することができる。
【００４２】
オーディオパネル１３は、その周囲のセンタークラスターパネル１４とともに車両に対して着脱可能であり、車両用端末取付装置１１は、車両から外したオーディオパネル１３に対して取り付けられるものである。
【００４３】
図２はオーディオパネル１３に固定した状態の車両用端末取付装置１１を示している。この図に示すように車両用端末取付装置１１は、オーディオパネル１３の表面に位置して携帯端末Ｍを着脱可能に保持するトップパネル２１と、車両に対するオーディオパネル１３の取り付けを可能にしつつオーディオパネル１３の裏面に位置するバックパネル２２を備えている。図２中、１３ａは、オーディオパネル１３を車両に対して取り付けるための取り付け手段である。なお、図2に示すように、車両用端末取付装置１１を取り付けた際の幅方向を幅方向Ｗとし、奥行方向を奥行方向Ｄとする。
【００４４】
トップパネル２１は、合成樹脂製であり、斜視図である図３に示したように、携帯端末Ｍを収納可能な大きさの薄板状に形成された収納部２３と、収納部２３の下に一体形成された略長方形板状の操作部２４を有している。
【００４５】
収納部２３は、図３のＡ−Ａ矢視断面図である図４にも示したように、携帯端末Ｍの背面側に配置される正面視横長長方形の背面板部２５と、背面板部２５と同形状の外形を有する枠状の正面枠部２６とを奥行方向Ｄに所定の間隙を隔てて配置するとともに、背面板部２５と正面枠部２６との上面、底面及び、両側面の四方向のうち、上面、底面及び、片側側面の三方向を閉塞部２８で閉塞している。そして、前記四方向のうち残る閉塞されない側面を携帯端末Ｍが自在に挿通可能となる出入部２７としている。そのため、携帯端末Ｍが出入りする出入方向は、図２に示す幅方向Ｗとなる。
【００４６】
このように、背面板部２５と正面枠部２６と閉塞部２８により、収納部２３の内部に偏平な携帯端末Ｍを収納する収納空間２９が形成され、収納空間２９と出入部２７とが連通することで、携帯端末Ｍを出入部２７から挿通して収納空間２９に収納することができる。
【００４７】
図示例では、出入部２７は、左右方向（幅方向W）の左方に配置している。つまり、右ハンドルの車両において、運転席と反対側の助手席側に向けて出入部２７が形成されている。出入部２７の幅は、収納空間２９の上下方向の高さと同じに設定されている。
【００４８】
トップパネル２１の裏側に設けられた長方形状の枠状リブ３１が、オーディオパネル１３の表面の中央に枠状リブ３１よりも一回り小さく形成された長方形の開口部１５（図２の破線参照）と嵌合する。なお、枠状リブ３１は、開口部１５に対してゆったり嵌まる大きさであっても、ぴったりと嵌まる嵌合対応する大きさであってもよい。
【００４９】
枠状リブ３１の内側には、複数の筒状部３３が立設されている。筒状部３３は、トップパネル２１とバックパネル２２に備えられてオーディオパネル１３を挟んで互いを結合するための相互間固定部の一部を構成する部位である。筒状部３３は、適宜大の大きさの穴３３ａを有した円筒形であり、枠状リブ３１と同じ高さに形成される。筒状部３３の形成位置は、枠状リブ３１より内側の四隅に近い部位である。
【００５０】
前述の操作部２４は背面板部２５の下端縁に一体に形成されており、タッチパネル２４ａやマイク穴２４ｂが形成され、裏面には基板（図示せず）などの必要な機器が備えられている。
【００５１】
正面枠部２６は、中央に車両用端末取付装置１１の外部と収納空間２９とを連通する適宜大の長方形状の開口により視認部２６ａが設けられている。正面枠部２６の視認部２６ａよりも外側の部分が、収納空間２９に収納される携帯端末Ｍの正面側に配置される面となる。
【００５２】
収納部２３の内部において、図示例では、出入部２７の反対側となる左右方向（幅方向Ｗ）の右側に、携帯端末Ｍを収納空間２９に収納することで電源コネクタＭａ（図２参照）と接続可能に電気接続部３４が設けられている。  
また、収納部２３の左右方向（幅方向Ｗ）の右側のうち外側に、収納空間２９に収納した携帯端末Ｍを取り出し可能にするイジェクトボタン３５が設けられている。
【００５３】
正面枠部２６の裏面には、緩衝のために可撓性を有する複数の立毛により構成された薄い緩衝シート３６が貼り付けられている。緩衝シート３６は、布帛や不織布などの適宜の材料で形成される。
【００５４】
正面枠部２６に対向する背面板部２５の表面には、収納された携帯端末Ｍを背面から視認部２６ａ側へと付勢して保持する保持シート３７が取り付けられている。保持シート３７は、図５に示したように、基布３７ａの表面に立毛３７ｂを有した構造であり、いわゆるベロアやベルベット、ビロードなどと称されるごく薄い適宜のシート材で構成されている。保持シート３７の厚みは１ｍｍ程度か、それ以下でもよい。
【００５５】
このような保持シート３７では、立毛３７ｂが、図５に一部を拡大して仮想線とともに描いたように、可撓性を有して傾倒可能であるとともに長手方向に付勢力を発揮する。  
また、図６に示すように、保持シート３７の有する立毛３７ｂが傾倒することで発揮する復元力による付勢力が、携帯端末Ｍを視認部２６ａ側にある正面枠部２６に設けられた緩衝シート３６に向かって押し付けることで、保持シート３７と緩衝シート３６とに挟まれることで収納空間２９の所定の位置に携帯端末Ｍが保持される。
【００５６】
以上のような構成のトップパネル２１と対をなすバックパネル２２は、その裏面側を下方から斜めに見た斜視図である図７に示したように、横長の長方形枠状の板枠部４１を有している。板枠部４１を含めてバックパネル２２は合成樹脂製である。
【００５７】
板枠部４１の大きさは、トップパネル２１の背面板部２５の枠状リブ３１に対応する大きさ、または略対応する大きさである。板枠部４１の外周縁には、裏面側に延びる縁壁４２が形成されている。縁壁４２の外周面には、枠状リブ３１の場合と同様に外方に向けて延びるリブが形成されてもよい。この縁壁４２と縁壁４２を備える板枠部４１は、トップパネル２１の枠状リブ３１と同様に、オーディオパネル１３の表面の中央に形成されている開口部１５に嵌る嵌合段部である。縁壁４２の高さは枠状リブ３１の高さとともに、図２のＢ−Ｂ矢視面図である図８に示したように、枠状リブ３１の高さと足し合わせた高さが、オーディオパネル１３の開口部１５の内周縁に形成された内周壁１５ａの高さに対応する高さとなるように設定されている。
【００５８】
板枠部４１の中央には、横長の長方形をなす開口部４３（図７参照）が形成され、開口部４３の縁のうち、長手方向の両側部位には、外周縁の縁壁４２と同様に裏面側に延びる縁リブ４４が形成されている。２つの縁リブ４４間には、適宜に支持リブ４５が形成されている。支持リブ４５は、制御ユニット４６を支持するためものである。制御ユニット４６は、支持リブ４５を介在させて板枠部４１との間に通気空間を備えた状態にして、板枠部４１に対して固定ビス４７を用いて固定される。図８中、４８は円筒状のスペーサである。
【００５９】
制御ユニット４６は、薄い直方体状に形成されており、制御のための必要な機器が内蔵されるとともに、端子接続のための接続口部４６ａが下面に備えられている。接続口部４６ａには、図示は省略するが、トップパネル２１の電気接続部３４やタッチパネル２４ａの基板、マイクから延びるコードの端子が電気的に接続される。
【００６０】
制御ユニット４６の長手方向（板枠部４１の長手方向）の長さは、前述したトップパネル２１に形成した４個の筒状部３３のうち、長手方向に並ぶ筒状部３３同士の間隔よりも短く設定されている。
【００６１】
板枠部４１におけるトップパネル２１の筒状部３３に対応する位置、つまり板枠部４１と枠状リブ３１を対応させた状態で筒状部３３に対向する部位には、貫通穴５１が形成されている。貫通穴５１は、筒状部３３とともに、前述の相互間固定部の一部を構成する部位である。板枠部４１の表面における貫通穴５１の縁には、筒状部３３の先端面が嵌る大きさの環状隆起部５１ａ（図８参照）が形成されている。
【００６２】
貫通穴５１と筒状部３３には、同じく相互間固定部の一部を構成するねじ部材５２が適用される。つまり、貫通穴５１を通して筒状部３３にねじ部材５２が螺合される。換言すれば、ねじ部材５２はバックパネル２２からトップパネル２１の裏面に対して螺合するものである。ねじ部材５２には、筒状部３３にねじ立てしながらねじ込むタッピングねじが好適に使用できる。タッピングねじではなく一般的なねじ部材を用いる場合には、筒状部３３にナット（図示せず）を埋設しておくとよい。
【００６３】
板枠部４１の縁壁４２における四隅には、適宜高さにおいて外周方向に張り出す固定片５５が形成されている。固定片５５の張り出し位置と高さは、オーディオパネル１３の裏面における固定対象部位１３ｂに応じて設定される。なお、バックパネル２２は前述のようにオーディオパネル１３の裏面に取り付けられた状態で車両に対するオーディオパネル１３の取り付けを可能にするものである。換言すればバックパネル２２はオーディオパネル１３の車両に対する取り付けを阻害しない大きさと形状に形成されるものであって、この点も考慮して固定片５５は形成される。
【００６４】
固定片５５の先端部には、貫通穴５６が形成されている。この貫通穴５６は、バックパネル２２に形成されてオーディオパネル１３に対して固定する定着用固定部の一部である。貫通穴５６には、同じく定着用固定部を構成するねじ部材５７、つまりバックパネル２２からオーディオパネル１３へ向けて螺合するねじ部材５７が挿入される。
【００６５】
ねじ部材５７としては、前述の相互間固定部のねじ部材５２と同様にタッピングねじを用いるとよい。タッピングねじに代えて、一般的なねじ部材を使用して、ナット（図示せず）を用いてオーディオパネル１３に締結する構成としてもよい。
【００６６】
以上のようなトップパネル２１とバックパネル２２を備えた車両用端末取付装置１１は、次のようにして使用される。  
まず、車両に備えられているオーディオパネル１３を取り外す。続いて、オーディオパネル１３に固定されている不要な搭載機器を除去する。
【００６７】
このあと、オーディオパネル１３を裏返して裏面を上に向けた状態にして、オーディオパネル１３の開口部１５にトップパネル２１の枠状リブ３１とバックパネル２２の板枠部４１及び縁壁４２、つまり嵌合段部を嵌めた状態にしてトップパネル２１とバックパネル２２でオーディオパネル１３の開口部１５を表裏方向で挟む。このとき、バックパネル２２の固定片５５をオーディオパネル１３の裏面の固定対象部位１３ｂに位置させる。
【００６８】
オーディオパネル１３に対してトップパネル２１とバックパネル２２を所定の位置に仮組したのち、相互間固定部と定着用固定部での結合を行う。つまり、図９に示したように、上に表れている裏面側から２種類のねじ部材５２，５７を螺合する。つまり、バックパネル２２の固定片５５の貫通穴５６からオーディオパネル１３の裏面の固定対象部位１３ｂにねじ部材５７を螺合する。また、バックパネル２２の板枠部４１の貫通穴５１からトップパネル２１の筒状部３３にねじ部材５２を螺合する。いずれのねじ部材５２，５７もタッピングねじで構成されているので、裏面側から螺合するだけで容易に固定が行える。しかもねじ部材５２，５７はタッピングねじであるので、部品点数も少なく作業が簡単であるうえに、がたつきのない強固な固定状態が得られる。
【００６９】
オーディオパネル１３に対して車両用端末取付装置１１を固定したあとは、オーディオパネル１３を車両に対して元通りに取り付ける。  
このように、車両用端末取付装置１１は車両に元々備えられているオーディオパネル１３に対して取り付けられ、オーディオパネル１３を車両に戻すことで取り付けが完了する。
【００７０】
このように構成された車両用端末取付装置１１は、車載スピーカー、車載バッテリー、ステアリングスイッチ等の車載された電気機器類と電気的に接続可能に携帯端末Ｍを車両に対して取り付けることができるように構成され、携帯端末Ｍを収納する収納空間２９を有する収納部２３が備えられるとともに、収納された携帯端末Ｍを保持する保持シート３７が収納部２３に設けられているため、収納空間２９に収納して車両に取り付けた携帯端末Ｍの、収納部２３内におけるがたつきを防止することができる。
【００７１】
詳述すると、車載された電気機器類と電気的に接続可能に携帯端末Ｍを車両に対して取り付ける車両用端末取付装置１１が、携帯端末Ｍを収納する収納空間２９を有する収納部２３を備えるとともに、収納部２３に設けられた保持シート３７が設けられることで、収納部２３内における携帯端末Ｍを、収納部２３に設けられた保持シート３７が、所定の位置に規制するように保持することで、車両に取り付けられた携帯端末Ｍの収納部２３内におけるがたつきを防止することができる。
【００７２】
これにより、車両が振動した場合であっても、収納部２３に収納された携帯端末Ｍががたつくことによって生じる異音の発生や前記携帯端末に映し出された画像がぶれ、画面が見にくくなることを防止でき、快適な車内環境を構築することができる。
【００７３】
また、収納部２３は、正面枠部２６と背面板部２５と、背面板部２５と正面枠部２６の周縁部のうち一側面を除いて閉塞部２８が閉塞することで、内部に偏平な収納空間２９を形成している。  
そして、保持シート３７が背面板部２５の表側に設けられることで、正面枠部２６に設けられた緩衝シート３６と背面板部２５に設けられた保持シート３７とで、携帯端末Ｍを奥行方向Ｄの両側から挟んで保持することができ、収納空間２９内における携帯端末Ｍのがたつきをより確実に防止できる。
【００７４】
また、保持シート３７に備えられた可撓性を有する複数の立毛３７ｂが、収納空間２９に収納した携帯端末Ｍにより傾倒したことにより生じる復元力を有し、その復元力により生じる付勢力が正面枠部２６に向かって発揮することで携帯端末Ｍを保持する。そのため、収納部２３に収納される携帯端末Ｍの形や大きさなどに合わせて立毛３７ｂが傾倒するため、収納空間２９に収まる限り携帯端末Ｍの形状や大きさなどを問わず収納部２３に携帯端末Ｍを収納することができる。
【００７５】
さらに、携帯端末Ｍの収納によって傾倒する立毛３７ｂの復元力が、携帯端末Ｍを正面枠部２６側に向けて付勢する付勢力として発揮されるため、携帯端末Ｍのがたつきをより確実に規制しながら収納空間２９における所定の位置に保持できる。
【００７６】
そして、保持シート３７を構成する複数の立毛３７ｂが弾力性を有することで、収納空間２９に収納された携帯端末Ｍのがたつきを立毛３７ｂが吸収でき、仮に強い振動があったとしても、収納空間２９に収納された携帯端末Ｍのがたつきを防止できるとともに、携帯端末Ｍや車両用端末取付装置１１とが接触して損傷することを防止できる。
【００７７】
また、携帯端末Ｍを収納空間２９に着脱自在に出し入れ可能な出入部２７が設けられ、保持シート３７の付勢する方向である付勢方向６１が、出入部２７を介して携帯端末Ｍを収納空間２９から出し入れする出入方向６０と交差するように構成される。  
【００７８】
それにより、出入部２７から容易に携帯端末Ｍを挿通して収納空間２９に収納することができるとともに、携帯端末Ｍを収納空間２９における所定の位置に確実に保持できる。なお、付勢方向６１は、奥行方向Ｄのうち背面板部２５から正面枠部２６へ向かう方向をいう。
【００７９】
詳述すると、携帯端末Ｍを出入部２７から挿入や脱出をさせる場合には、複数の立毛３７ｂのうちそれぞれが携帯端末Ｍと当接するため、単一の部材により構成される場合と比べ摩擦力が減少するとともに、出入方向６０である挿入方向ＩＮや脱出方向ＯＵＴに弾性変形するため、携帯端末Ｍを容易に出し入れすることができる。
【００８０】
一方、携帯端末Ｍが収納空間２９に収納された状態では、出入方向６０のうち携帯端末Ｍを出入部２７を介して収納空間２９に収納する挿入方向ＩＮに弾性変形した立毛３７ｂの復元力により携帯端末Ｍが正面枠部２６側に付勢されることとなるため、収納空間２９における所定の位置において、携帯端末Ｍのがたつきをより確実に規制しながら保持できる。
【００８１】
このように、携帯端末Ｍを収納空間２９に着脱自在に出し入れ可能な出入部２７が設けられるとともに、出入方向６０と付勢方向６１とを交差させることにより、収納空間２９に対して携帯端末Ｍを出入部２７に挿通することで出し入れできるとともに、携帯端末Ｍを出入部２７から挿入するだけで、収納空間２９内において携帯端末Ｍを付勢して確実に保持できる。
【００８２】
つまり、背面板部２５に設けられた保持シート３７を構成する複数の立毛３７ｂが、携帯端末Ｍの収納空間２９へ挿入することで挿入方向ＩＮに傾倒し、傾倒に伴う復元力により、携帯端末Ｍが正面枠部２６側へと押し付けられる。そのため、正面枠部２６に設けられた緩衝シート３６と、保持シート３７により収納空間２９に収納された携帯端末Ｍを挟み込んで保持することとなる。  
したがって、携帯端末Ｍをより容易に収納空間２９に挿通できるとともに、単に携帯端末Ｍを収納するだけで収納空間２９における所定の位置に携帯端末Ｍの揺れ動きをより確実に規制しながら保持できる。
【００８３】
また本実施形態では、出入部２７は、収納空間２９と連通するとともに携帯端末Ｍを自在に挿通可能な開口として収納部２３の左方向に設けられるが、本体部の上方向に設けてもよいし、右方向に設けてもよい。  
さらに、携帯端末Ｍを収納する収納部本体に対して枢動可能に形成された蓋部とで構成され、蓋体を枢動させることにより開閉が切り替わる開口部で構成してもよい。
【００８４】
また、立毛３７ｂに付勢される側となる正面枠部２６側に、収納空間２９が収納する携帯端末Ｍを外部より視認する視認部２６ａを設けることで、収納空間２９に収納される携帯端末Ｍが傾倒させる立毛３７ｂの復元力によって視認部２６ａ側へ押し付けることができ、視認部２６ａとなる開口の縁の影に携帯端末Ｍが隠れることを防ぐことができるため、車両用端末取付装置１１の外部から見た携帯端末Ｍの視認性を向上することができる。
【００８５】
また本実施形態では、視認部２６ａは、車両用端末取付装置１１の外部と収納空間２９とを連通する適宜大の長方形状の開口により設けられているが、可視光線を透過する透過部材で構成し、透過部材の上から携帯端末Ｍが操作できてもよい。
【００８６】
また、収納空間２９における携帯端末Ｍの装着方向に、携帯端末Ｍの電源コネクタＭａと電気的に接続する電気接続部３４を備えることで、携帯端末Ｍ装着方向へ移動させて、収納空間２９に収納するだけで、携帯端末Ｍを電気接続部３４と電気的に接続できる。
【００８７】
これにより、利用者が携帯端末Ｍを収納空間２９に収納した後に携帯端末Ｍの電源コネクタＭａと電気接続部３４とを電気的に接続させる手間が省略でき、利便性を向上させることができるとともに、単に収納空間１９に携帯端末Ｍを収納するだけで、携帯端末Ｍと前記電気接続部３４とが電気的に接続した状態で前記携帯端末Ｍが保持されるため、前記携帯端末がたつくことによる前記電気接続部の損傷を防ぐことができる。
【００８８】
また、収納空間２９に収納された携帯端末Ｍを取り外すためのイジェクトボタン３５を収納部２３の右側に設けることによって、イジェクトボタン３５を押し込む操作で収納空間２９に収納された携帯端末Ｍが右側から押され、携帯端末Ｍが収納部２３の左側に設けられた出入部２７より押し出される。  
これによって、容易に収納空間２９から携帯端末Ｍを取り外すことができるため、利用者の利便性を向上させることができる。
【００８９】
また、収納空間２９に収納した携帯端末Ｍ及び車載スピーカー等の車載された電気機器類を操作する操作部２４を設けることで、操作部２４に備えられたタッチパネル２４ａを操作するだけで、携帯端末Ｍや車載スピーカーの音量の操作や、音楽や映像の再生や一時停止の操作を行うことができる。
【００９０】
この発明の構成と、上述の実施形態の対応において、
この発明の保持部は、保持シート３７に対応し、
以下同様に、
対向部は、正面枠部２６と背面板部２５に対応し、
付勢体は、立毛３７ｂに対応し、
対向方向は、奥行方向Ｄに対応し、
弾性変形は、傾倒に対応し、
取外手段は、イジェクトボタン３５に対応するが、
この発明は、上述の実施形態の構成のみに限定されるものではなく、多くの実施形態を得ることができる。
【００９１】
例えば、本実施形態において、収納空間２９は前記携帯端末と相似形状に、携帯端末Ｍの全部を収納可能に収納部２３によって形成されているが、収納空間２９は、携帯端末Ｍと非相似形状であってもよいし、携帯端末Ｍの一部を収納可能に形成してもよい。
【００９２】
そして本実施形態では、収納空間２９は、本実施形態の前記車両用端末取付装置１１が備える収納部２３の内部に空洞として設けられているが、収納される携帯端末Ｍを囲うようなフレーム形状により設けてもよいし、収納部２３に収納された携帯端末Ｍの底面側に配置される面から、一以上の面を立ち上げることで設けてもよいし、前記携帯端末に一または複数の部材が組み付くことで設けてもよい。
【００９３】
そしてまた、本実施形態では、収納空間２９を形成する収納部２３において、収納部２３に収納された携帯端末Ｍの正面側と背面側に、対向する単一の面となる正面枠部２６と背面板部２５とが配置されているが、底面側と平面側に対向する面を配置してもよいし、両側面側に対向する面を配置してもよく、正面側と背面側、底面側と平面側、両側面側のうち少なくとも一つに対向する面を備えていてもよい。
【００９４】
さらに、対向して配置される面が複数の面により設けられる場合には、対向する面を形成する面のうち少なくとも一部分が対向していてもよいし、各々が対向していなくても、全体をして対向していればよい。
【００９５】
また、本実施形態において、正面枠部２６の裏面に緩衝シート３６を設けることで、緩衝シート３６と背面板部２５の表面に設けられた保持シート３７とで携帯端末Ｍを挟んで保持されるが、正面枠部２６の裏面にも保持シート３７を設ける事で、保持シート３７同士で挟みこんで携帯端末Ｍを保持してもよい。これにより、携帯端末Ｍが収納空間２９内で正面側及び背面側に揺れ動くことを確実に規制できるため、収納空間２９に収納された携帯端末Ｍのがたつきをより確実に防止できる。
【００９６】
また、本実施形態において、付勢体は、傾倒させたことによる復元力が付勢力として働く可撓性部材である複数の立毛３７ｂを有する保持シート３７で構成されているが、ゴムやバネ等の弾性部材で構成してもよい。これにより、ゴムやバネ等の弾性部材が弾性変形することで、形状や大きさなどを問わず収納空間２９に携帯端末Ｍを収納することができ、利便性が向上するとともに、弾性力により携帯端末Ｍを保持することができ、がたつきをより確実に規制しながら保持できる。
【００９７】
また、本実施形態において、電気接続部３４が携帯端末Ｍの装着方向に備えられたことにより、たんに携帯端末Ｍを収納部２３に収納するだけで携帯端末Ｍと電気接続部３４とを電気的に接続可能に構成しているが、電気接続部３４が携帯端末Ｍを収納部２３における所定の位置に保持することを補助することができるようにしてもよい。
【００９８】
また、本実施形態において、操作手段は、操作部２４として背面板部２５の下端縁に一体に形成されており、タッチパネル２４ａやマイク穴２４ｂが形成され、裏面には基板や機器が備えられているが、車載された電気機器類及び携帯端末Ｍの一方または双方のうち少なくとも一部を操作できる手段や、車載された電気機器類と携帯端末Ｍとを連動させて操作できる手段でもよい。
【符号の説明】
【００９９】
１１…車両用端末取付装置
１３…オーディオパネル
１５…開口部
２１…トップパネル
２２…バックパネル
２５…背面板部
２６…正面枠部
２７…出入部
２８…閉塞部
３１…枠状リブ
３３…筒状部
４１…板枠部
４２…縁壁
５１…貫通穴
５２…ねじ部材
５６…貫通穴
５７…ねじ部材
Ｍ…携帯端末
【図１】
2019214279.tif 000003
【図２】
2019214279.tif 000004
【図３】
2019214279.tif 000005
【図４】
2019214279.tif 000006
【図５】
2019214279.tif 000007
【図６】
2019214279.tif 000008
【図７】
2019214279.tif 000009
【図８】
2019214279.tif 000010
【図９】
2019214279.tif 000011